(57)【要約】【課題】目的地を設定せずに心理的欲求であるキーワードを入力することで経路探索を行うことが可能なナビゲーションシステムを提供する。【解決手段】映像撮影手段100で撮影、道路の混雑状況を解析した解析データが格納されているサーバ手段200に格納し、移動端末手段300からユーザがキーワード、例えば「ストレス解消」と入力した場合、サーバ手段200から自車位置付近の解析データをダウンロードし、混雑していない道路を探索する。また、移動端末手段300内の地図データ格納手段から信号の少ない道路、または高速道路を通って自車位置まで戻ってくる経路を探索することで、ユーザがストレスを解消するための経路を探索することができるナビゲーションシステムを提供することができる。【選択図】  図１
2004246919.tif 000002
【特許請求の範囲】
【請求項１】
ユーザの心理的要求をあらわすキーワードを入力するキーワード入力手段と、
前記キーワード入力手段で入力されたキーワードからユーザの心理的要求を満たす条件を選択する条件選択手段と、
音楽データを格納する音楽データ格納手段と、
前記キーワード条件選択手段によって選択された条件に一致する音楽データを前記音楽データ格納手段から検索するキーワード音楽検索手段と、
前記キーワード音楽検索手段で検索された音楽データを再生する音楽データ再生手段とを備えることを特徴とする端末装置。
【請求項２】
ネットワークに接続されデータを送受する通信手段を備え、
前記音楽データ格納手段は、前記通信手段によってネットワークからダウンロードされた音楽データを格納することが可能であることを特徴とする請求項２記載の端末装置。
【請求項３】
前記通信手段は、前記端末装置から取り外すことが可能であることを特徴とする請求項１または請求項２に記載の端末装置。
【発明の詳細な説明】
【技術分野】
【０００１】
本発明は、道路の探索を行う経路探索機能に関し、特に、ユーザが目的地を設定せずに現在の心理的要求に合わせたキーワードを入力することで経路を探索する経路探索機能を利用したナビゲーションシステムに関する。
【背景技術】
【０００２】
近年、ナビゲーションシステムを搭載した車両が増加してきている。ナビゲーションシステムで提供される情報も、地図情報から、それに加えて例えば交通情報、経路案内情報などを含むもの（地図関連情報）へと拡大されつつあり、利便性が高まるにつれて、今後の急速な普及が期待されている。
【０００３】
従来の車載用ナビゲーションシステムでは、地図データおよびその関連情報が予め記録されているＤＶＤ−ＲＯＭなどの読み出し専用の記録媒体をユーザに提供し、ユーザは地図データおよびその関連情報を必要に応じて記録媒体から読み出して目的地までの経路を設定するのが一般的であった。
【０００４】
例えば、下記特許文献１には、車載の移動体端末手段が車両の走行軌跡に基づいて迷走状態となったことを検出すると、迷走走行中に撮像した車両の周囲の映像を走行軌跡と共に表示し、ユーザの記憶にある景色をユーザに入力してもらうことで、地図データ中より該当地点候補を選定する支援機能に関する技術的内容が開示されている。
【特許文献１】特開2001-33268号公報
【発明の開示】
【発明が解決しようとする課題】
【０００５】
しかしながら、上記公報に記載されているような従来のナビゲーションシステムでは、ユーザは目的地を設定しなければならなかった。しかし、ユーザが車を運転する場合、目的地を設定して移動するというケースはわずかしかなく、ナビゲーションシステムの稼動率が低く、ナビゲーションシステム自身に商品の魅力が薄れてきているという問題があった。
【０００６】
本発明は、こうした従来の問題点を解決するもので、目的地設定のみの経路探索以外の新たな経路探索手段を備えることにより、ナビゲーションシステムの稼働率を上げ、魅力ある商品にすることができる。
【課題を解決するための手段】
【０００７】
本発明のナビゲーションシステムは、道路の映像を撮像し、解析する映像撮影手段と、前記映像撮影手段により解析されたデータを格納するサーバ手段と、前記サーバ手段から各道路の混雑状況のデータをダウンロードする移動端末手段とを具備し、前記移動端末手段は、ユーザの心理的要求をあらわすキーワードが入力されたときに、前記要求を満たす経路を探索することを特徴とする。この構成より、移動端末手段は、ユーザの心理的要求をあらわすキーワードが入力されたときに、ダウンロードされた各道路の混雑状況を参照して、ユーザの心理的要求を満たす経路を探索することとなる。
【発明の効果】
【０００８】
以上説明したように、本発明は、ユーザが目的地を設定せずに、心理的要求をあらわすキーワードを入力したときに、各道路の混雑状況を参照して、その要求を満たす経路を探索することができ、稼働率が高く、商品として魅力のあるナビゲーションシステムを提供することができるものである。
【発明を実施するための最良の形態】
【０００９】
（実施の形態）
図１は、本発明の実施の形態のナビゲーションシステムの構成を模式的に示す図である。図１に示すように、本発明の実施の形態のナビゲーションシステムは、映像撮影手段100、サーバ手段200、および移動端末手段300を具備している。
【００１０】
映像撮影手段100は、各道路に設置されており、道路の映像を撮像し、解析する。サーバ手段200は、映像撮影手段100により撮影され、映像解析されたデータを通信により受信し、格納する。移動端末手段300は、サーバ手段200に格納された映像解析データを通信によってダウンロードする。なお、以下の説明では、移動端末手段300が車両に搭載して利用される車載端末とする。
【００１１】
図２は、図１の映像撮影手段100の基本構成を示すブロック図である。図２に示すように、映像撮影手段100は、通信手段101、映像入力手段102、映像格納手段103、映像解析手段104、および解析データ格納手段105を具備している。ここで、各手段は互いにバスにより接続されている。
【００１２】
映像撮影手段100において、映像入力手段102は、道路の混雑状況の映像を撮り込み、映像格納手段103は、撮り込まれた映像を格納する。映像解析手段104は、映像格納手段103に格納された映像を基に道路の混雑状況を解析し、解析結果のデータ化を行う。解析データ格納手段105は、データ化された解析結果を格納する。通信手段101は、解析データ格納手段105に格納された解析データを読み出し、図１のサーバ手段200へ送信する。
【００１３】
図３は、図１のサーバ手段200の基本構成を示すブロック図である。図３に示すように、サーバ手段200は、通信手段201、解析データ格納手段202、および音楽データ格納手段203を具備している。ここで、各手段は互いにバスにより接続されている。
【００１４】
サーバ手段200において、通信手段201は、各道路に設置されている映像撮影手段100で解析された解析データを受信し、解析データ格納手段202は、受信された解析データを格納する。また、音楽データ格納手段203には様々なジャンルの音楽データが格納されており、通信手段201は、音楽データ格納手段203から読み出された音楽データを移動端末手段300へ送信することができる。
【００１５】
図４は、図1の移動端末手段300の基本構成を示すブロック図である。図４に示すように、移動端末手段300は、通信手段301、解析データ格納手段302、地図データ格納手段303、キーワード入力手段304、キーワード経路探索手段305、自車位置検出手段306、画像処理手段307、画像表示手段308、音楽データ格納手段309、音楽データ再生手段310、音楽データ出力手段311、およびキーワード照合手段312を具備している。
【００１６】
ここで、通信手段301、解析データ格納手段302、地図データ格納手段303、キーワード経路探索手段305、自車位置検出手段306、画像処理手段307、音楽データ格納手段309、およびキーワード照合手段312は、バスにより互いに接続されている。また、キーワード入力手段304の出力は、キーワード経路探索手段305に入力され、画像処理手段307の出力は、画像表示手段308に入力される。そして、音楽データ格納手段309の出力は、音楽データ再生手段310に入力され、音楽データ再生手段310の出力は、音楽データ出力手段311に入力される。
【００１７】
音楽データ格納手段309は、通信手段301によりインターネットなどのネットワークからからダウンロードされた音楽データ、あるいは市販のパッケージメディア（ＣＤ、ＭＤなど）から再生された音楽データを格納する機能を持っている。これにより、音楽データ格納手段309には、多彩なジャンルの音楽データを格納することができる。音楽データ再生手段310は、ＡＴＲＡＣ３、ＭＰ３、ＡＣＣ、TwinＶＱなどの圧縮データの伸長が可能である。音楽データ格納手段309、音楽データ再生手段310、および音楽データ出力手段311を、移動端末手段300から取り外し、携帯可能にすることが好適である。また、通信手段を、移動端末手段300から取り外し、携帯可能にすることが好適である。
【００１８】
移動端末手段300において、ユーザがキーワード入力手段304からキーワード、例えば「ストレス解消」と入力した場合、キーワード経路探索手段305は、自車位置検出手段306から自車位置データを受け取り、通信手段301を通してサーバ手段200から自車位置付近の解析データをダウンロードし、解析データ格納手段302に格納する。キーワード照合手段312は、「ストレス解消」というキーワードから「道路がすいている」、「郊外」、「平均時速５０ｋｍ」という条件を選択し、キーワード経路探索手段305は、解析データ格納手段302に格納された解析データから、混雑していない道路を探索する。また、キーワード経路探索手段305は、地図データ格納手段303から、信号の少ない道路、または高速道路を通って自車位置まで戻ってくる経路を探索し、該当する地図データを出力する。画像処理手段307は、地図データ格納手段303から出力された地図データの描画と、描画された地図データ上にキーワード経路探索手段305により探索された経路を描画し、画像表示手段308により表示する。また、キーワード照合手段312は、「ストレス解消」というキーワードから「静寂」という条件を選択し、音楽データ格納手段309に格納されている各ジャンルの音楽データから「ストレス解消」用の音楽、例えばクラシックの音楽データを選択し、音楽データ再生手段310により音楽データを再生し、音楽データ出力手段311により再生された音楽データを出力する。キーワード入力手段304で入力したキーワードに該当する音楽データが音楽データ格納手段309に格納されていなかった場合、通信手段301を通じ、サーバ手段200の音楽データ格納手段203、もしくはインターネット上にある音楽サイトから音楽データを音楽データ格納手段309にダウンロードする。
【産業上の利用可能性】
【００１９】
なお、以上の実施の形態では、移動端末手段を車載端末として説明したが、例えば携帯型情報端末であれば、どのような端末でもよい。
【図面の簡単な説明】
【００２０】
【図１】本発明の実施の形態のナビゲーションシステムの構成を示すブロック図、
【図２】図１における映像撮影手段の構成を示すブロック図、
【図３】図１におけるサーバ手段の構成を示すブロック図、
【図４】図１における移動端末手段の構成を示すブロック図である。
【符号の説明】
【００２１】
100  映像撮影手段
101、201、301  通信手段
102  映像入力手段
103  映像格納手段
104  映像解析手段
105、202、302  解析データ格納手段
200  サーバ手段
203、309  音楽データ格納手段
300  移動端末手段
303  地図データ格納手段
304  キーワード入力手段
305  キーワード経路探索手段
306  自車位置検出手段
307  画像処理手段
308  画像表示手段
310  音楽データ再生手段
311  音楽データ出力手段
312  キーワード照合手段
【図１】
2004246919.tif 000003
【図２】
2004246919.tif 000004
【図３】
2004246919.tif 000005
【図４】
2004246919.tif 000006